(57)【特許請求の範囲】
【請求項１】
トップ層と導電層を有し記録材上の未定着トナー像と接触する第１の回転体と、
前記第１の回転体に圧接して記録材上の未定着トナー像を記録材に定着するためのニップ部を形成する第２の回転体と、
前記導電層にトナーの帯電極性と同極性の電圧を印加する電源と、
記録材搬送方向で前記ニップ部から離れた位置で且つ前記ニップ部で挟持されている状態の記録材と接触する電極と、
を有し、前記電源によって電圧が印加されていることにより記録材を介して前記第１の回転体と前記電極との間に電流経路が形成され未定着トナー像を記録材に引き付けている定着装置において、
前記第２の回転体にトナーの帯電極性と同極性の電圧を印加する電源を有し、
前記第２の回転体に前記導電層に印加される電圧よりも絶対値が小さい電圧を印加し、前記電極は電気的に接地されつつ記録材の未定着トナー像が担持された面とは反対側の面と接触し、
記録材の抵抗が高い時には、前記トップ層と記録材を介して前記導電層と前記第２の回転体間で流れる電流量を、前記トップ層と記録材を介して前記導電層と前記電極間で流れる電流量より多く、
記録材の抵抗が低い時には、前記トップ層と記録材を介して前記導電層と前記電極間で流れる電流量を、前記トップ層と記録材を介して前記導電層と前記第２の回転体間で流れる電流量より多くすることを特徴とする定着装置。
【請求項２】
前記第１の回転体はエンドレスフィルムであり、前記第２の回転体は加圧ローラであることを特徴とする請求項１に記載の定着装置。
【請求項３】
前記エンドレスフィルムの内周面に接触するヒータを有することを特徴とする請求項２に記載の定着装置。
【請求項４】
前記第１の回転体は内部にハロゲンヒータを有する定着ローラであることを特徴とする請求項１に記載の定着装置。
【発明の詳細な説明】
【０００１】
【発明の属する技術分野】
本発明は、未定着のトナー像を記録材に定着させるための定着装置に関するものであり、例えば、電子写真方式の複写機、プリンタ、ファクシミリ等の画像形成装置に適用されるものである。
【０００２】
【従来の技術】
従来、この種の定着装置としては、たとえば、電子写真方式の複写機、プリンタ、ファクシミリ等の画像形成装置に適用されている。
【０００３】
図１０は電子写真プロセスを用いた画像形成装置の主要構成部（電子写真プロセス部付近）を示す概略構成図である。
【０００４】
感光ドラム１１は、図中矢印の方向に回転しており、電源７０によりバイアスが印加されている帯電ローラ１２により表面が均一に帯電される。
【０００５】
レーザー露光装置１３から発振されたレーザーは、反射ミラー１４を介し、感光ドラム１１上に照射され、不可視の静電潜像を形成させている。
【０００６】
トナー容器１５には、現像剤であるトナーＴが充填されており、そのトナーは現像ローラ１６の回転により、適量が抽出され、現像ブレード１７により適度に帯電される。
【０００７】
帯電されたトナーは、静電的な力を受け、感光ドラム１１上の静電潜像上に付着し、可視のトナー像となる。
【０００８】
このトナー像は、転写ローラ１８に、帯電されたトナーと逆極性の最適なバイアスを印加することで、記録材Ｐ上に静電転写を行っている。
【０００９】
転写されずに感光ドラム１１上に残った転写残トナーは、クリーニングブレード１９により、廃トナー容器２０に収容され、表面をクリーニングされた感光ドラム１１は、繰り返し次の画像形成プロセスに入る。
【００１０】
また、トナー像をのせた記録材Ｐは、定着器１によって加熱・加圧を受けトナー像が記録材上に半永久的に定着される。
【００１１】
図１１は定着装置の一例であるオンデマンド定着器１の概略構成図である。
【００１２】
ヒーターを持つ熱伝導基板５とそれを支持するフィルムガイド６の周りは、薄肉の耐熱性のエンドレスフィルム（定着フィルム４）で覆われ、弾性ローラ（加圧ローラ）３によって、ヒーター部を定着フィルム４を挟んで加圧することでニップＮを形成している。
【００１３】
転写材Ｐ上で未定着画像を形成するトナーＴは、このニップ部Ｎを通過することにより熱定着される。
【００１４】
【発明が解決しようとする課題】
しかしながら、上記のような従来技術の場合には、下記のような問題が生じていた。
【００１５】
熱ローラ定着器やオンデマンド定着器を構成する部材の一つである加圧ローラが、定着時にオフセットしたトナーで汚れる弊害が、特に低温低湿環境において顕著である。
【００１６】
加圧ローラの汚れが、ある程度蓄積されると、定着時の記録材の反画像側を汚す原因となったり、定着ローラ及び定着フィルムに再度汚れが移り、記録材の画像側の汚れ（ＰＱＤ：Ｐｒｉｎｔ  Ｑｕａｌｉｔｙ  Ｄｅｆｅｃｔ）の原因となったりする。
【００１７】
こういった弊害を防止するために、定着ローラや定着フィルム、及びこれらに当接する加圧ローラの表面粗さを極力小さくしたり、フッ素樹脂などの離型性の高い層を表面に設けたりしている。
【００１８】
しかし、フッ素樹脂などの離型性の高い物質は抵抗が高いために、フィルムとローラとの摺擦により帯電する。
【００１９】
この帯電により、オフセットの悪化及び定着器汚れが悪化する傾向にある。
【００２０】
また、高温高湿環境では、搬送方向上流側に向けて画像の一部が吹き飛ばされる現象がある。
【００２１】
吹き飛ばされたトナーは搬送方向上流側に０．１〜１ｍｍ程度ずれて、画像が尾を引いているように見える事から尾引きと呼ばれるひげ状の画像不良である。
【００２２】
本発明は上記の従来技術の課題を解決するためになされたもので、その目的とするところは、環境状態に応じてオフセット及び定着器汚れを防止可能とする品質性に優れた定着装置および画像形成装置を提供することにある。
【００２３】
【課題を解決するための手段】
上記目的を達成するために本発明にあっては、トップ層と導電層を有し記録材上の未定着トナー像と接触する第１の回転体と、前記第１の回転体に圧接して記録材上の未定着トナー像を記録材に定着するためのニップ部を形成する第２の回転体と、前記導電層にトナーの帯電極性と同極性の電圧を印加する電源と、記録材搬送方向で前記ニップ部から離れた位置で且つ前記ニップ部で挟持されている状態の記録材と接触する電極と、を有し、前記電源によって電圧が印加されていることにより記録材を介して前記第１の回転体と前記電極との間に電流経路が形成され未定着トナー像を記録材に引き付けている定着装置において、前記第２の回転体にトナーの帯電極性と同極性の電圧を印加する電源を有し、前記第２の回転体に前記導電層に印加される電圧よりも絶対値が小さい電圧を印加し、前記電極は電気的に接地されつつ記録材の未定着トナー像が担持された面とは反対側の面と接触し、記録材の抵抗が高い時には、前記トップ層と記録材を介して前記導電層と前記第２の回転体間で流れる電流量を、前記トップ層と記録材を介して前記導電層と前記電極間で流れる電流量より多く、記録材の抵抗が低い時には、前記トップ層と記録材を介して前記導電層と前記電極間で流れる電流量を、前記トップ層と記録材を介して前記導電層と前記第２の回転体間で流れる電流量より多くすることを特徴とする。
【００３６】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３７】
ここで、画像形成装置の全体構成等については、上記従来技術の中でも説明した画像形成プロセス（画像形成手段）等を用いた各種公知技術を適用できるので、その説明は省略し、以下、本発明の特徴である定着装置について、本発明に係る各種実施の形態を詳しく説明する。
【００３８】
なお、説明簡単のため、以下に参照する各図において、上記説明の中で参照した図１０および図１１に示した構成と同一の構成については同一の符号を付して説明する。
【００３９】
（第１の実施の形態）
図１〜図７を参照して、第１の実施の形態に係る定着装置について説明する。
【００４０】
図１は本発明の第１の実施の形態に係る定着装置の概略構成図である。
【００４１】
定着装置としてのオンデマンド定着器を構成する、一対の回転体のうちの一方の回転体としてのヒータユニット２は、概略、加熱手段としてのヒーターを具備する熱伝導基板５と、それを支持するフィルムガイド６と、これらを覆う薄肉の耐熱性のエンドレスフィルム（定着フィルム４（回転部材））と、から構成されている。
【００４２】
そして、このヒータユニット２に対して、一対の回転体のうちの他方の回転体としての弾性ローラ（加圧ローラ３（加圧回転体））が、ヒータ部を、定着フィルム４を挟んで加圧することでニップを形成している。
【００４３】
記録材上で未定着画像を形成するトナーはこのニップ部（Ｎ）を通過することにより熱定着される。
【００４４】
なお、定着フィルム４は加圧ローラ３の表面もしくは記録材表面との摩擦力により回転している。
【００４５】
ここで、定着フィルム４は３層構造からなっており、最内殻層はベース層４１と呼ばれ、回転時の定着フィルム４のねじれ防止、強度、平滑性を保つための層で、主に１０〜１００μｍの耐熱性の高いポリイミドフィルムを用いている。
【００４６】
また、最外殻層（トップ層４３）は主に５〜５０μｍ程度のＰＦＡ及びＰＦＡ中にＰＴＦＥなどを分散させた離型層で、体積抵抗は１×１０８〜１×１０１４Ωｃｍ程度の層を用いている。
【００４７】
そして、中間層として、ベース層４１とトップ層４３を接着するためのプライマ層４２を配しているが、この層にはカーボンブラックなどの導電性粒子を分散させて導電層としている。
【００４８】
また、加圧ローラ３は、芯金と耐熱ゴムにより構成され、ヒータユニット２に対して、不図示の加圧手段により総圧５〜１５ｋｇｆの圧力で加圧されている。
【００４９】
図２は本発明の第１の実施の形態に係る定着装置を構成する加圧ローラの概略構成図である。
【００５０】
加圧ローラ３は複数の層からなる層構造をなし、概略、芯金３１と、その外周の弾性ゴム層３２と、更にその外周のプライマ層３３と、最外殻層となるフッ素ラテックス層３４と、から構成されている。
【００５１】
具体的な例として、加圧ローラ３のローラ径を２０ｍｍ、ゴム面長２３０ｍｍ、ゴム厚３．５ｍｍとして、芯金３１の材質をアルミニウムとして、芯金３１の長さを２６０ｍｍとする。
【００５２】
そして、弾性ゴム層３２のゴム材質としてはシリコーンゴムを用いるが、更に、カーボンブラックなどの導電剤を添加して体積抵抗が１×１０3〜１×１０7Ωｃｍとなるように導電化している。
【００５３】
弾性ゴム層３２の上には、同様に導電化したプライマ層３３を配し、最外殻層には離型層としてフッ素ラテックス層３４をコートし、これも同様に導電化する。
【００５４】
このように、導電化する事で、帯電によって加圧ローラの表面電位が不安定になる事を防ぐことができる。
【００５５】
図１中の７は高圧電源であり、導電化したフィルムのプライマ層４２にブラシなどで−６００Ｖを印加し、さらに図のように高圧電源７'により導電化した加圧ローラの芯金３１に−３００Ｖを印加する。
【００５６】
さらに、定着ニップＮの下流側に位置する排出手段としての排紙ローラ８を導電化して、電極としての機能を持たせて、アース（接地）する。
【００５７】
この排紙ローラ８は定着ニップＮから搬送方向に対し約３０ｍｍ下流側に位置している。
【００５８】
以上のように構成することにより、高湿環境下においては、尾引きを防止し、低温低湿環境下において定着器汚れを防止する事ができる。
【００５９】
この点について、以下に、詳しく説明する。
【００６０】
（１）フィルム印加電圧と尾引きについて
【００６１】
尾引きは、主に高温高湿環境下において顕著であり、定着ニップ突入時に記録材から発生する水蒸気によって、トナーが吹き飛ばされる現象である。
【００６２】
この現象を電界によって得られる力により防止する方法を説明する。
【００６３】
以下に説明する構成は、加圧ローラのシリコンゴムを絶縁にした状態で行っている。
【００６４】
図３に、図１に示した定着装置の電気的等価回路の一例を示した。
【００６５】
４２は定着フィルム４の導電プライマ層であり、高圧電源７によりマイナスの電圧が印加されている。
【００６６】
Ｒｆｐは高圧電源７の出力端から定着フィルム４のプライマ層４２の定着ニップ部近傍までの抵抗を表している。
【００６７】
この抵抗には、安全規格を満たすための抵抗（６０ＭΩ）、定着フィルム４の給電接点の接触抵抗、プライマ層４２の抵抗等が含まれている。
【００６８】
Ｒｆｔの値は、トップ層４３の材質と膜の均一性、つまりピンホールリークの密度によって影響を受け、数ｋΩ〜数百ＭΩまで変化する。
【００６９】
ここで、定着ニップ部Ｎの近傍では記録材Ｐが加熱され水蒸気が常に発生している。
【００７０】
従って、定着ニップを蒸気源とみなすことができ、記録材Ｐの定着ニップ近傍Ｐｄは水蒸気により著しく抵抗が下がり、等価回路上直列に挿入される他の抵抗に比べて無視できるほど小さくなる。
【００７１】
このＰｄの領域では等価的に等電位とみなすことができる。
【００７２】
記録材の体積抵抗は、定着ニップから離れるに従って増加し、距離に対する記録材の抵抗値の変化の割合は、定着ニップから記録材搬送方向上流側と下流側では蒸気量と記録材の温度の違いから大きく違い、下流側の方が抵抗値が低い。
【００７３】
定着ニップから若干離れると記録材の抵抗は無視できなくなりニップ近傍から接地電極までの記録材の抵抗はＲｐで示されている。
【００７４】
排紙ローラ８はアースされている。
【００７５】
排紙ローラ８の記録材Ｐとの接点から接地までの抵抗がＲｇとして表されている。
【００７６】
フィルム４にマイナスバイアスが印加され、アースから排紙ローラ８、記録材Ｐ、フィルムのトップ層４３、プライマ層４２を介して電流が流れるとそれぞれの抵抗の両端に電圧降下による電圧が生じる。
【００７７】
Ｒｆｔの両端に生じる電圧をＶｆｔとすると、導電プライマ４２と、記録材の等電位部Ｐｄとの間に電界Ｅｆｔが図中矢印の向きに生じる。
【００７８】
本実施の形態では、トナーＴは負の帯電極性をもっているので、生じる電界によりトナーＴに対して、記録材Ｐの表面方向に働く拘束力Ｆｔが生じる。
【００７９】
この拘束力によりトナーＴが記録材に押し付けられ、尾引き、オフセットなど定着不良を防止する。
【００８０】
この拘束力を大きくするためには、Ｖｆｔの絶対値を大きくする方法と、Ｒｆｔの相対値を大きくする方法の二通りの方法がある。
【００８１】
電圧Ｖｆｔを大きくすると効果がより大きくなっていくが、定着フィルム４のトップ層４３にかかる電界が大きくなり、絶縁破壊による劣化が進む。
【００８２】
劣化を考慮すると定着フィルム４にかかる電界は１０8Ｖ／ｍ以下が好ましい。
【００８３】
フィルムトップ層４３の抵抗の大きさによるが、本構成では、−３０００Ｖでフィルムの劣化が顕著になったことから、本構成による抵抗程度では、印加電圧は−３０００Ｖ以上が好ましい。
【００８４】
ここで、定着フィルムプライマ層４２に印加するバイアス値を変化させて、尾引きの発生を確認し、その時の定着フィルムプライマ４２から高圧電源間に流れる電流についてもモニターした。
【００８５】
その結果を図５の表図に示す。
【００８６】
試験環境は温度３２．５℃、湿度８０％であり、評価に使用した記録材はＡｖｅｒｙ（ラベル紙）で、試験環境室に一昼夜放置し、ある程度吸湿状態が安定な記録材で、含水分量が１１％程度である。
【００８７】
なお、図中、尾引きレベルは１を悪、５を良（発生しない）とした５段階評価で行った。
【００８８】
表図より−５００Ｖ以下で尾引きが防止できることが分かる。
【００８９】
従って、本構成では尾引き防止と絶縁破壊との観点から、フィルムに印加する電圧は−５００Ｖ〜−３０００Ｖである事が好ましい。
【００９０】
（２）フィルム印加電圧と汚れについて
【００９１】
本構成をもとにした状態で、以下、導電の排紙ローラをフロートにし、加圧ローラ芯金をアース（０Ｖ）した状態で、次のような検討を行った。
【００９２】
上記構成でフィルムバイアスを変化させて、低温低湿環境（１５℃、１０％）において、紙（Ｂｏｉｓｅ  Ｃａｓｃａｄｅ  社：Ｘ−９０００：坪量８０ｇ／ｍ2）を用いて、実用画像を１０分間欠２枚を２５００サイクル（５０００枚）行った時点での定着器汚れの測定をした。
【００９３】
その結果を図４に示す。
【００９４】
横軸はフィルム印加電圧であり、縦軸は汚れた定着フィルム及び加圧ローラをＯＨＰシートなどを通紙させる事でほぼ完全に汚れを吐き出し、汚れの吐き出されたＯＨＰシートをスキャナで取り込み、汚れ部（黒）のピクセル数をカウントした結果である。
【００９５】
この図より、フィルム印加電圧として−３００Ｖ付近がもっとも汚れが少なく、これを境にして、プラス側に大きくしてもマイナス側に大きくしてもローラ側が汚れていくことが分かった。
【００９６】
この構成で通紙中の加圧ローラ表面電位をＴＲＥＫ社製表面電位計（Ｍｏｄｅｌ  ３４４）で測定したところ０〜−２０Ｖであった。
【００９７】
この結果から、フィルム印加電圧と加圧ローラ表面電位との差が、約３００Ｖ付近がもっとも汚れが良いことが分かる。
【００９８】
この結果を説明するため、フィルム印加電圧を変化させながらフィルムへのトナーオフセット量と、フィルムに付着する紙粉の量を観察した結果を図６の表図にまとめる。
【００９９】
この時フィルムのプライマ層４２と電源７間に流れる電流も記す。
【０１００】
フィルムに印加するバイアスが０Ｖよりもプラス側ではオフセットが悪化している。
【０１０１】
この原因は、電界の向きがフィルムから記録材上に向けて発生し、トナーが負に帯電しているため、トナーがフィルム方向に引き付けられるからである。
【０１０２】
逆に０Ｖよりもマイナス側に大きくしていくと、記録材上からフィルムに向けての電界が発生するため、トナーが記録材上に押えつけられ、オフセットが良化する。
【０１０３】
フィルムバイアスを１ｋＶとし積極的にオフセット量を多くすると汚れも悪化する結果となっていることから、オフセットトナーは、定着器の汚れの原因であり、オフセットトナー量が多ければ汚れも悪化する。
【０１０４】
つまり、オフセット量を減少させれば、定着器汚れ、つまり定着フィルム汚れ及び、加圧ローラ汚れも良くなる。
【０１０５】
図６の表図中に示したように、０Ｖから−８００Ｖ付近では、オフセットと汚れの関係は同様な傾向にあるのが分かる。
【０１０６】
しかし、それ以上の電圧をかけると、逆にオフセットも汚れも悪くなることが分かる。
【０１０７】
この現象は、フィルム表面への紙粉の付着量の増大により、離型性が低下し、オフセットトナーが増加してしまうためである。
【０１０８】
印加バイアスと紙粉の付着量の関係についても、同表図に記載する。
【０１０９】
表図を見ると、印加電圧を大きくして電界強度を大きくしていくと、フィルム上への紙粉付着量が増大していることが分かる。
【０１１０】
以上の結果より、オフセットトナーは汚れの原因であり、その量を減らせば、定着器汚れが良化することが分かる。
【０１１１】
このオフセットトナー量は、フィルムに印加するバイアスに依存し、そのバイアス値を、負の電荷をもつトナーを記録材から離す電界を形成するように設定すれば、オフセットは悪化し、一方、記録材に押えつけるような電界を形成させても、その強度が強すぎると記録材から紙粉がフィルム上に多く付着し、その結果逆にオフセットが悪化してしまう。
【０１１２】
つまり、定着器汚れを防止するためには、最適バイアス値を設定し、オフセット量が少ない状況を作り出せば良いことが分かる。
【０１１３】
本検討では、フィルムバイアス値として−２００Ｖ〜−４００Ｖ付近が最適値であった。
【０１１４】
（３）尾引き対策と定着汚れ対策
【０１１５】
本実施の形態において、上記のような検討した結果、尾引きを良好にするためには−５００Ｖ〜−３０００Ｖ程度のバイアスをフィルムに印加すればよく、定着汚れを良好にするためには−２００Ｖ〜−４００Ｖ程度のバイアスをフィルムに印加すれば良いことが分かった。
【０１１６】
しかし、この両方の条件を満たすバイアス値はない。
【０１１７】
そのため、本実施形態では、導電加圧ローラと導電排紙ローラの二つの電極からフィルムへの電流パスを設けて、記録材の吸湿状態の変化による記録材の抵抗変動（Ｒｐの変化）を利用することで、定着ニップに発生する電界を制御するようにしたものである。
【０１１８】
以下、この点について詳しく説明する。
【０１１９】
記録材は吸湿度が高いと抵抗が低く、吸湿度が低いと抵抗が高い。
【０１２０】
そして、尾引きは吸湿度が高い時に主に発生し易く、定着器汚れは主に吸湿度が低い時に発生し易い。
【０１２１】
これらの関係がある事から、本実施の形態に係る構成では、記録材の環境変動による吸湿状態の変動を利用して、記録材の抵抗（Ｒｐ）が高い時には、導電加圧ローラとフィルムプライマ層間に電流を積極的に流して、これらの電極間の電位差が有効になるようにし、一方、記録材の抵抗が低い高湿環境においては、フィルムプライマ層と導電排紙ローラ間に電流を流して、これらの電極間電位差が有効になるように、導電加圧ローラに印加する電圧値とフィルムプライマ層に印加する電圧値を設定する。
【０１２２】
フィルムと記録材間に形成される電界はプライマと電源間に流れる電流に比例することから、これらの条件を満たす様に、フィルムプライマ層電位、導電加圧ローラ電位、排紙ローラ電位を設定した。
【０１２３】
（１），（２）の検討により、測定した最適電流値領域は、尾引き対策で３μＡ以上、定着器汚れにおいては０．５〜１．３μＡである。
【０１２４】
この電流値を、それぞれの問題が顕著に発生する環境において実現するために、本実施の形態では、一つの例として、フィルムに−６００Ｖ給電し、導電加圧ローラに−３００Ｖを給電し、導電排紙ローラを０Ｖ（アース）とした。
【０１２５】
この設定により、低温低湿環境（温度１５℃：湿度１０％）と高温高湿環境（温度３２．５℃：湿度８０％）において、フィルムプライマ層→高圧電源、導電加圧ローラ→高圧電源、排紙ローラ→アースに流れる電流を測定した結果を図７の表図に示す。
【０１２６】
以上のように構成することによって、低温低湿環境、高温高湿環境それぞれにおいて、尾引き、定着器汚れの確認をしたところ、尾引き、定着器汚れを防止できる事が確認された。
【０１２７】
従って、本実施の形態のように、環境による記録材の吸湿状態に応じて変動する、抵抗変動を利用して、記録材の吸湿状態によって電流パスが変わる構成とすることで、高湿環境においては尾引きに最適な電界、低湿環境においては定着器汚れに最適な電界をそれぞれ形成させ、環境に応じて良好な画像を得る事ができる。
【０１２８】
なお、以上の説明では、耐熱性フィルムを用いるフィルム定着装置に適用する場合について説明したが、その他、ハロゲンヒータを内包するローラ定着装置において、定着ローラに上述したようなバイアスを印加する構成としても、同様の効果を得る事ができる。
【０１２９】
また、上記構成においては、定着フィルムのニップの位置から離れた位置に設ける電極として、導電化した排紙ローラを用いた場合を示したが、これは記録材を加圧してニップを形成し、記録材との接触面積を大きくする事で安定に接触させて安定的に電流経路を確保するためのものであるが、これと同等の効果をもつ部材であれば排紙ローラに限定されることなく、適宜他の部材を用いてもよい。
【０１３０】
また、上記構成では、加圧ローラの全層を導電化して、芯金より給電しているが、加圧ローラの表面層を導電化し、ブラシなどで給電しても良い。
【０１３１】
さらに、加圧ローラの表面層を絶縁化する構成としても、内側の給電する導電層から表面までの総抵抗が、１０9Ω以下であれば同様な効果が得られる。
【０１３２】
（参考例）
図８には、本発明の参考例が示されている。上記第１の実施の形態では、定着フィルムおよび加圧ローラの双方に給電するための電源を用いた場合の構成を示したが、本参考例では、加圧ローラに給電する電源は設けずに、加圧ローラをツェナーダイオードを介して接地させる構成を示している。
【０１３３】
その他の構成および作用については第１の実施の形態と同一なので、同一の構成部分については同一の符号を付して、その説明は省略する。
【０１３４】
図８は本発明の参考例に係る定着装置の概略構成図である。
【０１３５】
図に示すように、本参考例においては、上記第１の実施の形態における導電加圧ローラ３に給電する高圧電源７'の代わりに、ツェナーダイオード（３００Ｖ）９を用いて電位設定をする構成となっている。
【０１３６】
ツェナーダイオード９は、図のように設置することで、Ａ地点での電位はほぼ−３００Ｖとなる。
【０１３７】
以上のような構成により、上記第１の実施の形態で説明したものと同様の耐久試験を行い、定着器汚れを検討した結果、尾引き、定着器汚れとも第１の実施の形態と同様の効果を得る事ができた。
【０１３８】
本参考例では、ツェナーダイオード３００Ｖを高圧電源の代わりに用いる事によって、同様の効果を得る事ができ、かつコストダウンを図る事が可能となる。
【０１３９】
（参考例）
図９には、本発明の参考例が示されている。上記第１の実施の形態では、定着フィルムおよび加圧ローラの双方に給電するための電源を用いた場合の構成を示したが、本参考例では、加圧ローラに給電する電源は設けずに、加圧ローラを抵抗を介して接地させる構成を示している。
【０１４０】
その他の構成および作用については第１の実施の形態と同一なので、同一の構成部分については同一の符号を付して、その説明は省略する。
【０１４１】
図９は本発明の参考例に係る定着装置の概略構成図である。
【０１４２】
図に示すように、本参考例においては、上記第１の実施の形態における導電加圧ローラ３に給電する高圧電源７'の代わりに、抵抗（抵抗体）１０を介しアース（０Ｖ）している。
【０１４３】
本検討で用いた記録材（紙種：前述したＸ−９０００）の抵抗値（Ｒｐ）は、高温高湿環境において〜１０6Ωであり、低温低湿環境において〜１０14Ωであった。
【０１４４】
この抵抗差を利用して、導電加圧ローラ３からアースされている経路の抵抗値を１０６Ωから１０１４Ωの間に設定すれば、高温高湿環境化では、主に、フィルム４と排紙ローラ８間を記録材を介して電流が流れ、低温低湿環境下では主に、フィルム４と導電加圧ローラ３間に電流が流れる。
【０１４５】
本参考例で用いた、導電化した加圧ローラ３のローラの抵抗Ｒｒは、図９中の等価回路上〜１０７Ωで、ほぼ高湿環境下での記録材の抵抗に近いため、吸湿状態によるきり分けをより安定的に行うために、ローラの抵抗と抵抗１０の合計の抵抗値が〜１０９Ωになるように設定した。
【０１４６】
以上の構成によって、上記第１の実施の形態の場合と同様の効果を得る事ができた。
【０１４７】
【発明の効果】
以上説明したように、本発明によれば、環境による記録材の吸湿状態に応じて変動する、抵抗変動を利用して、記録材の吸湿状態によって電流パスが変わる構成とすることで、高湿環境においては尾引きに最適な電界、低湿環境においては定着器汚れに最適な電界をそれぞれ形成させ、環境に応じて良好な画像を得る事ができる。
【図面の簡単な説明】
【図１】本発明の第１の実施の形態に係る定着装置の概略構成図である。
【図２】本発明の第１の実施の形態に係る定着装置を構成する加圧ローラの概略構成図である。
【図３】図３は図１に示す定着装置における電気的等価回路図である。
【図４】フィルム印加バイアスと定着器汚れの関係を説明する図である。
【図５】フィルム印加バイアスと尾引きレベルの関係を示す表図である。
【図６】フィルム印加電圧の変化によるオフセット量と紙粉量の傾向を示す表図である。
【図７】環境別による各電流経路の電流値の変化を示す表図である。
【図８】  本発明の参考例に係る定着装置の概略構成図である。
【図９】  本発明の参考例に係る定着装置の概略構成図である。
【図１０】電子写真プロセスを説明する図である。
【図１１】オンデマンド定着器を説明する図である。
【符号の説明】
１  定着器
２  ヒータユニット
３  加圧ローラ
４  定着フィルム
５  熱伝導基板
６  フィルムガイド
７  電源
８  排紙ローラ
９  ツェナーダイオード
１０  抵抗
１１  感光ドラム
１２  帯電ローラ
１３  レーザー露光装置
１４  反射ミラー
１５  トナー容器
１６  現像ローラ
１７  現像ブレード
１８  転写ローラ
１９  クリーニングブレード
２０  廃トナー容器
Ｎ  ニップ
Ｔ  トナー
Ｐ  記録材
【図１】
0004100822.tif 000002
【図２】
0004100822.tif 000003
【図３】
0004100822.tif 000004
【図４】
0004100822.tif 000005
【図５】
0004100822.tif 000006
【図６】
0004100822.tif 000007
【図７】
0004100822.tif 000008
【図８】
0004100822.tif 000009
【図９】
0004100822.tif 000010
【図１０】
0004100822.tif 000011
【図１１】
0004100822.tif 000012